【事件の表示】
 特願２０１６−５２４３１６「スキンケア成分を提供するための器具、配置および方法」拒絶査定不服審判事件〔平成２７年１月８日国際公開、ＷＯ２０１５／００２９６０、平成２８年９月１５日国内公表、特表２０１６−５２８１１６〕について、次のとおり審決する。
【結　論】
　本件審判の請求は、成り立たない。
【理　由】
第１．手続の経緯
　この出願（以下「本願」という。）は、平成２６年７月１日（パリ条約による優先権主張外国庁受理２０１３年７月２日：米国（ＵＳ）、２０１４年６月１０日：米国（ＵＳ））を国際出願日とする特許出願であって、その主な手続は以下のとおりである。
平成３０年８月２７日付け
　　拒絶理由通知
同年１２月４日
　　意見書及び手続補正書の提出
平成３１年４月１６日付け
　　拒絶査定（以下「原査定」という。）
令和元年９月９日
　　拒絶査定不服審判の請求及び同時に手続補正書の提出
第２．令和元年９月９日にされた手続補正についての補正の却下の決定
［補正の却下の決定の結論］
　令和元年９月９日にされた手続補正（以下「本件補正」という。）を却下する。
［理由］
１．本件補正の内容
　本件補正は、特許請求の範囲を補正するものであり、本件補正の前後における特許請求の範囲の請求項３０の記載は、次のとおりである（下線部は補正箇所である。）。
（１）本件補正前（平成３０年１２月４日提出の手続補正書）
「【請求項３０】
　使用者の皮膚に美容製品を適用する方法であって、
　少なくとも１つの美容活性成分を含んでいる第１構造と、少なくとも１つの美容活性成分と溶媒溶液との混合物を吸収するように構成されている媒体と、
　第１構造内に含まれ、溶媒溶液を含んでいる、第２構造と、
　溶媒溶液を少なくとも１つの美容活性成分から分ける少なくとも１つの第３構造と、少なくとも１つの美容活性成分と溶媒溶液とが互いに接触したかどうかを示すように構成されているインジケーター構造と、
を有する配置を提供することと、
　溶媒溶液を少なくとも１つの美容活性成分にさらすように、第２構造が少なくとも１つの第３構造を破れさせるように、第２構造の少なくとも一部に特定量の圧力を加えることと、
　第１構造を開けることと、
　媒体を第１構造から取り出すことと、
　媒体を皮膚に適用することと、
を含む方法。」
（２）本件補正後（令和元年９月９日提出の手続補正書）
「【請求項３０】
　使用者の皮膚に美容製品を適用する方法であって、
　少なくとも１つの美容活性成分を含んでいる第１構造と、少なくとも１つの美容活性成分と溶媒溶液との混合物を吸収するように構成されている媒体と、
　第１構造内に含まれ、溶媒溶液を含んでいる、第２構造と、
　溶媒溶液を少なくとも１つの美容活性成分から分ける少なくとも１つの第３構造と、少なくとも１つの美容活性成分と溶媒溶液とが互いに接触したかどうかを示すように構成されているインジケーター構造と、
を有する配置を提供することと、
　溶媒溶液を少なくとも１つの美容活性成分にさらすように、第２構造が少なくとも１つの第３構造を破れさせるように、第２構造の少なくとも一部に特定量の圧力を加えることと、
　第１構造を開けることと、
　媒体を第１構造から取り出すことと、
　媒体を皮膚に適用することと、
を含
み、
　少なくとも１つの美容活性成分は、液体以外の形態である、
方法。」
２．補正の目的
　上記補正は、本件補正前の請求項３０に記載された「少なくとも１つの美容活性成分」について、「
液体以外の形態である
３．独立特許要件
　上記２．のとおり、本件補正のうち、上記補正は、特許法第１７条の２第５項第２号に掲げる特許請求の範囲の減縮を目的としたものと認めることができる。
　そのため、本件補正後の請求項３０に係る発明（以下「本件補正発明」という。）は、同条第６項において準用する同法第１２６条第７項の規定に適合すること（特許出願の際独立して特許を受けることができるものであること）を要する。
　そこで、以下に本件補正発明の独立特許要件について検討する。
（１）本件補正発明
　本件補正発明は、上記１．（２）に記載したとおりのものである。
（２）引用文献の記載
ア．原査定において請求項３０の拒絶の理由に引用された引用文献１（特表２００２−５４３００９号公報）には、以下の記載がある。
（ア）「【特許請求の範囲】
【請求項１】　例えば、ふき取り体、パッチ又はマスクである少なくとも１つの吸収体（Ａ、Ａ１、Ａ２）と、吸収体に含浸される好ましくは液状である少なくとも１つの成分（Ｂ、Ｃ）を吸収体とは別個に包含するユニット（１）であって、前記吸収体は含浸した液体成分を皮膚や毛髪であるサポートに含浸するためのものであり、該ユニット（１）は、
　前記吸収体（Ａ、Ａ１、Ａ２）を収容する柔軟性を有する壁面からなる容器（２）と、
　前記成分（Ｂ、Ｃ）を含む、容器（２）の柔軟性を有する壁面を介して加えられる圧力によって開放して、前記吸収体（Ａ、Ａ１、Ａ２）に前記成分（Ｂ、Ｃ）を含浸させることができる少なくとも１つの袋（４）を有し、
　前記袋（４）と前記吸収体（Ａ、Ａ１、Ａ２）とは容器（２）の中で自由に移動することができ、
　前記容器は液を含浸下九州タイを取り出してサポートに塗布することができるように開放可能であることを特徴とするユニット。
【請求項２】　前記容器（２）と袋（Ｂ、Ｃ）は、少なくとも１つのシールされた縁部（２ａ‐２ｄ、４ａ‐４ｄ）によって閉じられており、容器（２）のシールされた縁部（２ａ‐２ｄ）の圧力に対する強度は袋（４）の縁部（４ａ‐４ｄ）の圧力に対する強度よりも格段に高いことを特徴とする請求項１に記載のユニット。
・・・
【請求項４】　前記袋（４）は熱可塑性のフィルムからなり、前記シールされた縁部（４ａ‐４ｄ）の前記圧力によって開放されるものであることを特徴とする請求項２又は３に記載のユニット。
・・・
【請求項６】　容器は破断部（１０）に沿って破れるよう意図されていることを特徴とする請求項１ないし５のいずれかに記載のユニット。
・・・
【請求項１０】　容器（２）の少なくとも一部が、透明又は半透明であることを特徴とする請求項１ないし９のいずれかに記載のユニット。
・・・
【請求項１５】　袋（４）に収容された成分（Ｂ、Ｃ）と接触する前に吸収体に、増粘剤、ゲル化剤、界面活性剤、病理学的に許容される溶剤、水、モノアルコール又はポリアルコール；オイル、ｐＨ調整剤、乳化剤；生物由来の乾燥抽出成分；例えばフリーズドライされたコラーゲン及びその誘導体；真皮の血液循環又は血管造成を刺激する成分、しわ伸ばし活性を有する成分または植物タンパク質のうちの少なくとも一つの化粧品的又は皮膚科薬学的に活性な成分のうちの少なくとも１つを含浸させたことを特徴とする請求項１ないし１４のいずれかに記載のユニット。
【請求項１６】　袋に収容された成分（Ｂ、Ｃ）は、ビタミン、減量剤、酵素、保湿剤、老化防止剤から選択された少なくとも１つの化粧品的に又は皮膚科学‐薬学的に活性な液体成分を含むことを特徴とする請求項１ないし１５のいずれかに記載のユニット。
【請求項１７】　成分（Ｂ、Ｃ）は、ビタミンＣ、ビタミンＡ、ビタミンＥ又はこれらの誘導体、アルファまたはベータヒドロキシ酸、クエン酸、エッセンシャルオイル、カフェイン、コウジ酸、ヒドロキノン、ニコチン酸エステル、β‐カロチン、尿素、グリセロールから選択された少なくとも１つの化粧品的に又は皮膚科学‐薬学的に活性な液体成分から選択されたことを特徴とする請求項１６に記載のユニット。
・・・
【請求項１９】　例えばヒトの皮膚又は毛髪の化粧的処理のための前記請求項１ないし１８のいずれかに記載されたユニット（１）の使用。」
（イ）「【発明の詳細な説明】
【０００１】
　本発明は，例えば、サポートに塗布する前に互いに接触させられる少なくとも２つのエレメントを有する化粧的な処理のためのユニット、および当該ユニットを使用して前記エレメントから得られた製品を、例えば皮膚や毛髪であるサポートに塗布する使用方法に関するものである。
【０００２】
　本発明が対象とするユニットは、柔軟性のある外容器、例えば、前記エレメントを収容する柔らかい外壁を有する袋のようなものである。より正確には、前記エレメントのうちの少なくとも１つは破ることのできる壁面を有する内袋であり、その中には、外気および／または他のエレメントと隔離する必要がある液状製品が収容されている。容器を構成する少なくとも１つの他のエレメントは、吸収体である。適当であれば、容器はさらに粉体又はペーストあるいはその他の液状体を収容しても良い。」
（ウ）「【００１７】
　本発明の対象は、少なくとも１つの吸収体例えば塗布用の布、パッチ又はマスクであって吸収体とは別に収容された少なくとも１種の好ましくは液体である成分を含浸し、液体成分を含浸した後でたとえば皮膚や毛髪であるサポートに塗布する吸収体を具備したユニットであって、前記吸収体と前記成分を収容した少なくとも１つの容器の柔らかな壁面を介して加えられる圧力によって開放される袋を収容し、前記成分を含む液状成分を吸収体に含浸させ、袋と吸収体は容器の中で拘束が無く、成分を含浸した吸収体を取り出して当該サポートに塗布することができるように開放することができるユニットである。」
（エ）「【００２０】
　同様に、好ましくは、前記容器と袋は少なくとも１つの封止された縁部において閉じられており、封止された縁部の圧力に対する抵抗力は、袋の封止された縁部の圧力に対する抵抗力よりも格段に大きい。
【００２１】
　したがって、前記エレメントは、容器の柔らかな壁面を介して加えられる圧力によって袋の少なくとも１つの縁部が破れることによって容器の中で互いに接触する。」
（オ）「【００４６】
　図１に示したように、本発明の第１の実施例に基づく処理ユニット１は、・・・
【００４７】
　ユニット１は、柔軟性のある袋状の外容器２を有する。外容器２は概略長方形の２つの柔軟性のあるシート３ａ、３ｂを重ね合わせて形成される（図２参照）。これらのシートは、対応する縁部２ａ―２ｄに沿って、例えば熱シール溶着によって封止され、液密な袋を形成している。
・・・
【００４９】
　２つのエレメントＡとＢとが外容器２の中に収容されている。この実施例の場合には、エレメントＡは織られたまたは織られていない材料からなる吸収ふき取り体である。ふき取り体Ａは粘性の大きなあるいは粘性の小さな液体を含浸することができる。ふき取り体Ａはさらに、予め化粧的又は皮膚科学的に活性の成分又は化粧的又は皮膚‐薬学的に許容できる成分を予め含んでいても良い。
【００５０】
　エレメントＢは液体で袋４に収容され、袋は容器２の中で自由に動くことができる。袋４は容器２に比較してはるかに小さく、２つの変形可能な可撓性のあるシートでできており、縁部４ａ―４ｄの部分でシールされている。これらのシートは単一層又は複数層の材料からなり、液体Ｂに対して最も保存性能が良いものから選択される。縁部４ａ―４ｄのシールうちの少なくとも１つは、容器２のシールされた縁部２ａ―２ｄの圧力に対する抵抗力よりも小さな抵抗力しか有していない。・・・
【００５３】
　外容器２は、袋４の位置が見分けられるように透明か半透明の材質からなることが好ましい。
【００５４】
　製品を使用したいときは、外容器２を介して親指と人差し指の間で袋４を押圧し、袋４の溶着部分がはがれるようにする。一般に、袋４が開放されたときは破裂音が聞こえ、成分Ｂが開放されたことが音によって示される。外容器２を揉み解すことによって使用者は適当にエレメントＡをエレメントＢに均一に含浸させることができる。例えばはさみを使うか予め弱く作ってある線１０に沿って破るかして外容器を開け、外容器から含浸したエレメントＡを取り出して所望の場所に塗布することができる。・・・
【００５５】
　図２は、顔の処理のためのマスクを示すものであり、このマスクは織られたか、織られていない、あるいは吸収性の何らかの材料を切って得ることができる。目と鼻と口のために適当な形状の穴が設けられている。このマスクには、予めゲル化剤および／またはその他の活性成分が含浸されており、脱水されていても良い。・・・
【００５６】
　成分Ｂと接触すると、マスクは吸水し、袋４に含まれていた活性成分が含浸される。・・・
【００５８】
　図４は、図１に示した実施例と同様、ふき取り体Ａと袋４と外容器２を有するが、これらのうちの１つが成分Ｂを含み、これらの他方が追加の成分Ｃを含むものである。好ましくは、容器２の少なくとも一部は透明又は半透明であって、袋の中身を放出させるべき袋が見分けられるようになっている。・・・」
（カ）「【００６５】
　このように、本発明は、異なる実施例に応じてそれぞれ個別にまた経済的な方法で以下の事を可能にする：・・・
‐吸収体に含浸させるときに、固体の状態では安定であるが溶解すると急速に劣化する粉体と少なくとも１つの液状成分を個別に保存して、溶解させること。反対に、袋に粉体を収容し、液体を吸収体とともに容器内に収容しておくことも可能である；・・・」
（キ）「【図１】
」
（ク）「【図２】
」
（ケ）上記（ア）の「前記容器は液を含浸下九州タイを取り出して」という記載は、その前後及び上記ウ．の記載を参酌すれば、「前記容器は液を含浸した吸収体を取り出して」の明らかな誤記である。
（コ）上記（ア）及び（オ）によれば、吸収体（ふき取り体Ａ）は、予め化粧的又は皮膚科学的に活性の成分を含んでいる。そして、袋（４）が開放されると、成分（Ｂ、Ｃ）が吸収体（ふき取り体Ａ）及び活性の成分に含浸し、活性の成分が溶解する。
（サ）上記（ア）、（イ）、（オ）及び（キ）によれば、吸収体（ふき取り体Ａ）と袋は容器の中にある。
（シ）上記（ア）（特に【請求項１５】）には活性の成分として乾燥抽出成分が例示され、上記（カ）には粉体が記載されていることから、活性の成分は、粉体である。
　上記（ア）〜（シ）から、引用文献１には、以下の発明（以下「引用発明１」という。）が記載されている。
「予め化粧的又は皮膚科学的に活性の成分を含んでいる吸収体（ふき取り体Ａ）と、吸収体（ふき取り体Ａ）に含浸される液状成分を吸収体（ふき取り体Ａ）とは別個に包含するユニットであって、
　前記吸収体（ふき取り体Ａ）を収容する柔軟性を有する壁面からなる容器と、
　前記液状成分を含む、容器の柔軟性を有する壁面を介して加えられる圧力によって開放して、前記吸収体（ふき取り体Ａ）に前記液状成分を含浸させることができる袋を有し、
　吸収体（ふき取り体Ａ）と袋は容器の中にあり、
　容器の少なくとも一部は、透明であり、
　前記袋は、前記圧力によってシールされた縁部が開放され、前記液状成分が前記吸収体（ふき取り体Ａ）及び前記活性の成分に含浸し、前記活性の成分が溶解し、
　前記容器は液を含浸した吸収体（ふき取り体Ａ）を取り出して皮膚であるサポートに塗布することができるように開放可能であり、
　前記活性の成分は、粉体である、
ヒトの皮膚のためのユニットの使用。」
イ．原査定において請求項３０の拒絶の理由に引用された引用文献２（特開２００７−１１２４８２号公報）には、以下の記載がある。
（ア）「【特許請求の範囲】
【請求項１】
　密封容器内を仕切りで区分けしてなる複数の独立空間内のそれぞれに、混合されるべき複数種類の液体が外部から視認可能な状態で収容保存されており、混合時には、前記仕切りを外して併合空間を形成し、この併合空間内にて前記複数種類の液体を混合し、混合物を得るための複数液の保存兼混合容器であって、
　前記複数種類の液体のそれぞれには、前記混合時にその混合状態を視覚的に把握できるように、前記混合の前後で色調差を発生させる色調差発生剤が配合されており、前記複数種類の液体のそれぞれは、前記色調差発生剤によって調色されたものである複数液の保存兼混合容器。」
（イ）「【０００１】
　本発明は、複数液の保存兼混合容器及び混合物調製方法に関する。さらに詳しくは、密封空間において、色調差によって混合状態を視覚的に把握しつつ混合することのできる複数液の保存兼混合容器及び混合物調製方法に関する。」
ウ．さらに引用文献５（実願昭６３−４４３９０号（実開平１−１４７２３５号）のマイクロフィルム）には、以下の記載がある。
（ア）「２．実用新案登録請求の範囲
（１）内部に水が収納された内袋と、該水と反応し吸熱作用を有する寒剤と、上記内袋と寒剤を密封してなる外袋とを有してなる携帯用保冷具において、上記外袋に透光材からなる検出窓を設けると共に、上記内袋に収納された水を着色したことを特徴とする携帯用保冷具。
（２）内部に水が収納された内袋と、該水と反応し吸熱作用を有する寒剤と、上記内袋と寒剤を密封してなる外袋とを有してなる携帯用保冷具において、上記外袋に透光材からなる検出窓を設けると共に、上記寒剤に水を含むと変色あいは発色する水検出剤を混入したことを特徴とする携帯用保冷具。
（３）内部に水が収納された内袋と、該水と反応し吸熱作用を有する寒剤と、上記内袋と寒剤を密封してなる外袋とを有してなる携帯用保冷具において、上記外袋に透光材からなる検出窓を設けると共に、上記外袋の内側であって少なくとも上記検出窓が設けられている部分に水を検出すると変色あるいは発色するシートを積層したことを特徴とする携帯用保冷具。」
（当審注：（２）の「変色あいは発色する」は、「変色あるいは発色する」の明らかな誤記である。）
（イ）「第１の考案の実施例に係る携帯用保冷具１０は、内部に着色水１１が収納された内袋１２と、該内袋１２の回りに配置された寒剤の一例である硝酸アンモニウム粒１３と、プラスチックシートからなる外袋１４とを有して構成されている。」（明細書７ページ１〜６行）
（３）本件補正発明の進歩性についての判断
ア．対比
　本件補正発明と引用発明１を対比すると、引用発明１の「吸収体（ふき取り体Ａ）」は本件補正発明の「媒体」に相当し、以下同様に「容器」は「第１構造」に、「袋」は「第２構造」に、「ユニット」は「美容製品」に、「ヒトの皮膚のためのユニットの使用」は「使用者の皮膚に美容製品を適用する方法」に、それぞれ相当する。そして、引用発明１の「ユニット」を使用することが、本件補正発明の「配置を提供すること」を具備していることは明らかである。
　引用発明１の「化粧的又は皮膚科学的に活性の成分」は、本件補正発明の「少なくとも１つの美容活性成分」に相当する。そして、引用発明１の「容器」が「予め化粧的又は皮膚科学的に活性の成分を含んでいる吸収体（ふき取り体Ａ）」を「収容する」ことは、本件補正発明の「第１構造」が「少なくとも１つの美容活性成分を含んでいる」ことに相当する。
　引用発明１の「吸収体（ふき取り体Ａ）」が、「活性の成分が溶解」した「液状成分」の「液を含浸」することは、本件補正発明の「媒体」が「少なくとも１つの美容活性成分と溶媒溶液との混合物を吸収するように構成されている」ことに相当する。
　引用発明１の「液状成分」は、本件補正発明の「溶媒溶液」に相当する。そして、引用発明１の「袋」が「容器の中」にあることは、本件補正発明の「第２構造」が「第１構造内に含まれ」ることに相当する。
　引用発明１の「袋」の「シールされた縁部」は、「袋」の一部であるから、本件補正発明の「溶媒溶液を少なくとも１つの美容活性成分から分ける少なくとも１つの第３構造」に相当する。そして、引用発明１の「袋」が「容器の柔軟性を有する壁面を介して加えられる圧力によって開放」されて「前記液状成分が前記吸収体（ふき取り体Ａ）及び前記活性の成分に含浸し、前記活性の成分が溶解」することは、本件補正発明の「溶媒溶液を少なくとも１つの美容活性成分にさらすように、第２構造が少なくとも１つの第３構造を破れさせるように、第２構造の少なくとも一部に特定量の圧力を加えること」に相当する。
　引用発明１の「皮膚であるサポート」は、本件補正発明の「皮膚」に相当するから、引用発明１の「皮膚であるサポートに塗布すること」は、本件補正発明の「皮膚に適用すること」に相当する。そうすると、引用発明１の「前記容器は液を含浸した吸収体（ふき取り体Ａ）を取り出して皮膚であるサポートに塗布することができるように開放可能である」ことは、本件補正発明の「第１構造を開けることと、媒体を第１構造から取り出すことと、媒体を皮膚に適用すること」に相当する。
　引用発明１の「活性の成分は、粉体である」ことは、本件補正発明の「少なくとも１つの美容活性成分は、液体以外の形態である」ことに相当する。
　よって、本件補正発明と引用発明１は、以下の点で一致している。
＜一致点＞
「使用者の皮膚に美容製品を適用する方法であって、
　少なくとも１つの美容活性成分を含んでいる第１構造と、少なくとも１つの美容活性成分と溶媒溶液との混合物を吸収するように構成されている媒体と、
　第１構造内に含まれ、溶媒溶液を含んでいる、第２構造と、
　溶媒溶液を少なくとも１つの美容活性成分から分ける少なくとも１つの第３構造と、
を有する配置を提供することと、
　溶媒溶液を少なくとも１つの美容活性成分にさらすように、第２構造が少なくとも１つの第３構造を破れさせるように、第２構造の少なくとも一部に特定量の圧力を加えることと、
　第１構造を開けることと、
　媒体を第１構造から取り出すことと、
　媒体を皮膚に適用することと、
を含み、
　少なくとも１つの美容活性成分は、液体以外の形態である、
方法。」
　そして、本件補正発明と引用発明１は、以下の点で相違している。
＜相違点＞
　本件補正発明は、「少なくとも１つの美容活性成分と溶媒溶液とが互いに接触したかどうかを示すように構成されているインジケーター構造」を備えているのに対して、引用発明１は、容器の少なくとも一部が透明であることにとどまる点。
イ．相違点についての検討
　引用文献２（上記（２）イ．）には、混合されるべき複数種類の液体が外部から視認可能な状態で収容保存されており、混合時にその混合状態を視覚的に把握できるように、混合の前後で色調差を発生させる色調差発生剤が配合されている複数液の保存兼混合容器が記載されている。
　また、引用文献５（上記（２）ウ．）には、混合されるべき粒体と液体が収容保存されており、混合時にその混合状態を視覚的に把握できる検出窓が設けられた混合容器が記載されている。
　ここで、引用発明１において容器の少なくとも一部を透明としているのは、「袋の中身を放出させるべき袋が見分けられるように」（段落【００５８】）するためであり、「外容器２を揉み解すことによって使用者は適当にエレメントＡをエレメントＢに均一に含浸させることができる。」（段落【００５４】）とあるから、液状成分と活性の成分を確実に混合し、混合してできた液を、吸収体（ふき取り体Ａ）に確実に含浸することを目的とするものである。
　また、引用文献１には、「一般に、袋４が開放されたときは破裂音が聞こえ、成分Ｂが開放されたことが音によって示される。」（段落【００５４】）とあるから、袋が開放して液状成分と活性の成分の混合が始まったことを、音によって使用者に伝えることが記載されている。
　そうすると、引用発明１は、液状成分と活性の成分を確実に混合し、混合してできた液を、吸収体（ふき取り体Ａ）に確実に含浸するために容器の少なくとも一部を透明としているものであって、液状成分と活性の成分の混合が始まったことを使用者に伝えることが示唆されているのだから、引用文献２、５に記載された事項（以下「引用文献２記載事項」等という。）を容器の透明部分に適用して、上記＜相違点＞に係る構成であるインジケーター構造とすることに十分な動機付けがある。
　よって、引用発明１に引用文献２、５記載事項を適用し、上記＜相違点＞に係る構成とすることは、当業者が容易になし得るものである。
　したがって、本件補正発明は、引用発明１、及び引用文献２、５記載事項に基いて、当業者が容易に発明をすることができたものであるから、特許法第２９条第２項の規定により特許を受けることができない。
（４）本件補正についてのむすび
　以上のとおり、本件補正は、特許法第１７条の２第６項において準用する同法第１２６条７項の規定に違反する上記補正を含むものであるから、同法第１５９条１項の規定において読み替えて準用する同法第５３条１項の規定により、却下すべきものである。
　よって、上記補正の却下の決定の結論のとおり決定する。
第３．本件発明についての判断
１．本件発明
　令和元年９月９日にされた手続補正は、上記第２．のとおり却下されたので、本願の請求項３０に係る発明（以下「本件発明」という。）は、平成３０年１２月４日付け手続補正書により補正された特許請求の範囲の請求項３０に記載された事項により特定されるものであり、上記第２．１．（１）に記載のとおりのものである。
２．拒絶査定の概要
　平成３１年４月１６日付けでされた拒絶査定のうち、本件発明に係る拒絶の理由は、請求項３０に係る発明は、引用文献１に記載された発明、及び引用文献２記載事項に基いて、当業者が容易に発明をすることができたものであるから、特許法第２９条第２項の規定により特許を受けることができない、とするものである。
３．引用文献の記載事項
　引用文献１及び２の記載事項は、上記第２．３．（２）ア．及びイ．に示したとおりである。
４．対比・判断
　本件補正発明と、引用発明１との対比、及び相違点についての判断は、上記第２．３．（３）に示したとおりである。
　また、本件発明は、本件補正発明が「少なくとも１つの美容活性成分は、液体以外の形態である」としていたものが、そのような要件を限定しないものである。
　そして、上記第２．３．（３）において引用された引用文献５は、液体と粒体の混合の場合のインジケーター構造を示す文献であり、本件補正発明の「少なくとも１つの美容活性成分は、液体以外の形態である」場合のインジケーター構造に対応したものである。
　そうすると、本件発明の発明特定事項をすべて含み、さらに「少なくとも１つの美容活性成分は、液体以外の形態である」という発明特定事項を含む本件補正発明が、上記第２．３．（３）で述べたように、引用発明１、及び引用文献２、５記載事項に基いて、当業者が容易に発明をすることができたものであるから、そのような発明特定事項を含まない本件発明も、同様の理由により、原査定の理由のとおり、引用発明１、及び引用文献２記載事項に基いて、当業者が容易に発明をすることができたものである。
５．小括
　よって、本件発明は、引用発明１、及び引用文献２記載事項に基いて、当業者が容易に発明をすることができたものであるから、特許法第２９条第２項の規定により特許を受けることができない
第４．むすび
　以上のとおり、本願の請求項３０に係る発明は、特許法第２９条第２項の規定により特許を受けることができないものであるから、その余の請求項について検討するまでもなく、本願は拒絶されるべきものである。
　よって、結論のとおり審決する。